(57)【特許請求の範囲】
【請求項１】
上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の他方の縦框と前記窓枠の他方の縦枠との間が開口するように構成し、
前記窓枠と障子とに亘って障子の開き方向への移動を規制するストッパー装置を、開口部の開口幅を小さくする第１の状態と、開口部の開口幅を大きくする第２の状態とに切り換え可能に取付け、
前記ストッパー装置は、下枠に、第１位置と第２位置に亘って移動自在に設けられ、かつ第１位置と第２位置に固着具で固定されるストッパー受部材と、下框に固定され前記ストッパー受部材と当接して障子の開き方向の移動を規制するストッパー部材を備え、
前記ストッパー受部材を第１位置で固定することで、開口部の開口幅を小さくする第１の状態となり、ストッパー受部材を第２位置で固定することで、開口部の開口幅を大きくする第２の状態となるようにし、
前記下框に横向部材を、障子が閉じ位置の時にはストッパー受部材を固定する固着具と左右方向に離れて固着具を弛め操作でき、前記障子が開放位置の時には前記固着具と対向して固着具を弛め操作できないように取付けたことを特徴とする片開き窓。
【請求項２】
前記ストッパー受部材は、長尺な本体と、この本体の長手方向一端寄りに固着されたブロックと、本体の長手方向他端寄りに収納姿勢と張り出し姿勢とに亘って回動自在に設けたレバーを備え、
障子を開き方向に移動する時にはストッパー部材がブロックに当接し、障子を閉じ方向に移動する時には張り出し姿勢のレバーに障子が当接して障子とともに本体が閉じ方向に移動するようにした請求項１記載の片開き窓。
【請求項３】
上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の他方の縦框と前記窓枠の他方の縦枠との間が開口するように構成し、
前記上枠と下枠の少なくとも一方の内側面は、当該上枠と下枠の少なくとも一方の室外側面よりも室外側に張り出した張り出し部分を有し、
前記窓枠と障子とに亘って障子の開き方向への移動を規制するストッパー装置を、開口部の開口幅を小さくする第１の状態と、開口部の開口幅を大きくする第２の状態とに切り換え可能に取付け、
前記ストッパー装置は、上枠と下枠の少なくとも一方に着脱自在に取付けた第１ストッパー受部材と、上枠と下枠の少なくとも一方に固着した第２ストッパー受部材と、上框と下框の少なくとも一方に固着したストッパー部材を備え、
前記第１ストッパー受部材を取付けることで、ストッパー部材が第１ストッパー受部材に当接して開口部の開口幅を小さくする第１の状態となり、その第１ストッパー受部材を取り外しすることで、ストッパー部材が第２ストッパー受部材に当接して開口部の開口幅を大きくする第２の状態となるようにし、
前記第１ストッパー受部材は、上枠と下枠の少なくとも一方の室外側面に取り付けた取付部材と、この取付部材にビスで取り付けた受部材を備え、
前記上枠と下枠の少なくとも一方の内側面の張り出し部分に形成した切欠部から前記ビスを締め付け、弛めできると共に、前記受部材を取り付け、取り外し可能とし、
前記切欠部にカバーを着脱自在に設け、
前記第２ストッパー受部材は、上枠と下枠の少なくとも一方の室外側面に固着し、
前記ストッパー部材は上框と下框の少なくとも一方の室内側面に、前記第１ストッパー受部材の受部材に当接し、かつ取付部材には当接しないと共に、第２ストッパー受部材に当接するように固着したことを特徴とする片開き窓。
【発明の詳細な説明】
【技術分野】
【０００１】
本発明は、浴室、トイレ、台所等に取付ける片開き窓に関する。
【背景技術】
【０００２】
従来から、障子開放状態で、その障子が窓枠よりも側方に張り出すようにした片開き窓が知られている。
例えば、特許文献１に開示されたように、上枠、下枠、一方の縦枠、他方の縦枠より成る窓枠に障子を、その上枠、下枠の長手方向に移動自在に装着し、その障子の一方の縦框を窓枠の一方の縦枠よりも側方に張り出すことで障子の他方の縦框と窓枠の他方の縦枠との間が開口した開放状態とする片開き窓が知られている。
【０００３】
【特許文献１】特開平９−３１７３０４号公報
【発明の開示】
【発明が解決しようとする課題】
【０００４】
前述した従来の片開き窓は、障子の開放状態における開口面積、つまり窓枠の他方の縦枠と障子の他方の縦框との間の開口部の開口幅が大きい。
このように、障子の開放状態における開口幅が大きければ、室内の換気風量が多い、室内の人が開口部から障子室外面を清掃し易い、非常時などに開口部から室内の人が室外に脱出することが可能である、などの利点を有する。
【０００５】
しかしながら、前述のように開口幅が大きいと室外から人が故意に室内に浸入することが可能で、防犯上好ましくない。
【０００６】
本発明の目的は、通常時には開口幅を小さく、必要に応じて開口幅を大きくできるようにした片開き窓を提供することである。
【課題を解決するための手段】
【０００７】
本発明は、上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の他方の縦框と前記窓枠の他方の縦枠との間が開口するように構成し、
前記窓枠と障子とに亘って障子の開き方向への移動を規制するストッパー装置を、開口部の開口幅を小さくする第１の状態と、開口部の開口幅を大きくする第２の状態とに切り換え可能に取付け、
前記ストッパー装置は、下枠に、第１位置と第２位置に亘って移動自在に設けられ、かつ第１位置と第２位置に固着具で固定されるストッパー受部材と、下框に固定され前記ストッパー受部材と当接して障子の開き方向の移動を規制するストッパー部材を備え、
前記ストッパー受部材を第１位置で固定することで、開口部の開口幅を小さくする第１の状態となり、ストッパー受部材を第２位置で固定することで、開口部の開口幅を大きくする第２の状態となるようにし、
前記下框に横向部材を、障子が閉じ位置の時にはストッパー受部材を固定する固着具と左右方向に離れて固着具を弛め操作でき、前記障子が開放位置の時には前記固着具と対向して固着具を弛め操作できないように取付けたことを特徴とする片開き窓である。
【０００８】
また、本発明は、上枠と下枠と一方の縦枠と他方の縦枠を方形状に連結した窓枠と、この窓枠に、その上枠と下枠の長手方向に亘って移動自在に取付けた障子を備え、
前記障子は、上框と下框と一方の縦框と他方の縦框を方形状に連結し、その内部に面材を取付けたもので、その障子を開き方向に移動することで、当該障子の他方の縦框と前記窓枠の他方の縦枠との間が開口するように構成し、
前記上枠と下枠の少なくとも一方の内側面は、当該上枠と下枠の少なくとも一方の室外側面よりも室外側に張り出した張り出し部分を有し、
前記窓枠と障子とに亘って障子の開き方向への移動を規制するストッパー装置を、開口部の開口幅を小さくする第１の状態と、開口部の開口幅を大きくする第２の状態とに切り換え可能に取付け、
前記ストッパー装置は、上枠と下枠の少なくとも一方に着脱自在に取付けた第１ストッパー受部材と、上枠と下枠の少なくとも一方に固着した第２ストッパー受部材と、上框と下框の少なくとも一方に固着したストッパー部材を備え、
前記第１ストッパー受部材を取付けることで、ストッパー部材が第１ストッパー受部材に当接して開口部の開口幅を小さくする第１の状態となり、その第１ストッパー受部材を取り外しすることで、ストッパー部材が第２ストッパー受部材に当接して開口部の開口幅を大きくする第２の状態となるようにし、
前記第１ストッパー受部材は、上枠と下枠の少なくとも一方の室外側面に取り付けた取付部材と、この取付部材にビスで取り付けた受部材を備え、
前記上枠と下枠の少なくとも一方の内側面の張り出し部分に形成した切欠部から前記ビスを締め付け、弛めできると共に、前記受部材を取り付け、取り外し可能とし、
前記切欠部にカバーを着脱自在に設け、
前記第２ストッパー受部材は、上枠と下枠の少なくとも一方の室外側面に固着し、
前記ストッパー部材は上框と下框の少なくとも一方の室内側面に、前記第１ストッパー受部材の受部材に当接し、かつ取付部材には当接しないと共に、第２ストッパー受部材に当接するように固着したことを特徴とする片開き窓であっても良い。
【００１１】
本発明においては、ストッパー装置を前述のようにした場合には、ストッパー受部材は、長尺な本体と、この本体の長手方向一端寄りに固着されたブロックと、本体の長手方向他端寄りに収納姿勢と張り出し姿勢とに亘って回動自在に設けたレバーを備え、
障子を開き方向に移動する時にはストッパー部材がブロックに当接し、障子を閉じ方向に移動する時には張り出し姿勢のレバーに障子が当接して障子とともに本体が閉じ方向に移動するようにできる。
【００１２】
このようにすれば、ストッパー部材を利用して障子とともにストッパー受部材を第２位置に向けて移動できるし、レバーを張り出し姿勢とすることで、そのレバーを利用してストッパー受部材を障子とともに第１位置に向けて移動できる。
【発明の効果】
【００１３】
本発明によれば、ストッパー装置を第１の状態とすることで障子の開き方向への移動距離を小さくして開口部の開口幅を小さくできる。
前記ストッパー装置を第２の状態とすることで障子を開き方向に長い距離移動でき、開口部の開口幅を大きくできる。
したがって、通常時にはストッパー装置を第１の状態とすることで、通常時には開口幅を小さくし、必要に応じて第２の状態とすることで、必要に応じて開口幅を大きくできる。
【００１４】
また、ストッパー装置を、窓枠に、第１位置と第２位置に亘って移動自在に設けられ、かつ第１位置と第２位置に固着具で固定されるストッパー受部材と、障子に固定され前記ストッパー受部材と当接して障子の開き方向の移動を規制するストッパー部材を備え、
前記ストッパー受部材を第１位置で固定することで、開口部の開口幅を小さくする第１の状態となり、ストッパー受部材を第２位置で固定することで、開口部の開口幅を大きくする第２の状態となるようにすれば、ストッパー受部材を第１位置と第２位置に移動して固定することで、開口部の開口幅を小さくしたり、大きくしたりでき、その操作が容易である。
しかも、下框に横向部材を、障子が閉じ位置の時にはストッパー受部材を固定する固着具と左右方向に離れて固着具を弛め操作でき、前記障子が開放位置の時には前記固着具と対向して固着具を弛め操作できないように取付けたので、障子が閉じ位置でなければ、ストッパー受部材を固定する固着具を弛め操作できず、障子が開放位置の時に故意に固着具を弛めてストッパー受部材を第２位置に向けて移動できないので、防犯上好ましい。
【００１５】
また、ストッパー装置は、窓枠に着脱自在に取付けた第１ストッパー受部材と、窓枠に固着した第２ストッパー受部材と、障子に固着したストッパー部材を備え、
前記第１ストッパー受部材を取付けることで、ストッパー部材が第１ストッパー受部材に当接して開口部の開口幅を小さくする第１の状態となり、その第１ストッパー受部材を取り外しすることで、ストッパー部材が第２ストッパー受部材に当接して開口部の開口幅を大きくする第２の状態となるようにすれば、第１ストッパー受部材を取付けることで開口部の開口幅を小さくできるし、第１ストッパー受部材を取り外すことで開口部の開口幅を大きくできる。
【発明を実施するための最良の形態】
【００１６】
図１に示すように、窓枠１は上枠２と下枠３と一方の縦枠４と他方の縦枠５を方形状に連結してある。
前記窓枠１に障子１０が上枠２、下枠３の長手方向（以下左右方向という）に移動自在に取付けてある。この障子１０は上框１１と下框１２と一方の縦框１３と他方の縦框１４を方形状に連結し、その内部に面材、例えばガラス１５が装着してある。
前記障子１０を図２（ａ）に示す閉じ状態から矢印で示すように左右方向一方に短い距離移動すると、図２（ｂ）に示すように一方の縦框１３が窓枠１（一方の縦枠４）から側方に張り出し、他方の縦框１４が他方の縦枠５から離れ、その両者の間が開口した開き状態となる。
この時の開口部１６の開口幅Ｈ１（他方の縦枠５と他方の縦框１４との間の左右寸法）は小さく、人が出入りできない。例えば、１５０ｍｍである。
前記障子１０をさらに矢印で示すように左右方向一方に移動（つまり、閉じ状態から左右方向一方に長い距離移動）すると、図２（ｃ）に示すように前記開口部１６の開口幅Ｈ２が大きく、人が出入りできるし、換気風量が多く、さらには障子室外側面を清掃し易い。例えば、６００ｍｍ〜７００ｍｍである。
前記障子１０を開き状態から左右他方に移動すると図２（ａ）に示すように前述の開口部１６が閉塞されて閉じ状態となる。
これによって、片開き窓を形成している。
【００１７】
前記窓枠１と障子１０とに亘ってストッパー装置２０が取付けてある。
そのストッパー装置２０は第１の状態と第２の状態に切換え可能である。第１の状態の時には障子１０の移動距離を短く制限して開口幅Ｈ１を小さくする。つまり、障子１０が閉じ状態から開き方向に所定の短い距離移動すると、ストップしてそれ以上障子１０が開き方向に移動しないように制限する。
前記ストッパ装置２０が第２の状態の時には障子１０の開き方向の最大移動距離を規定し、前述の開口部１６の開口幅がＨ２以上とならないようにする。
【００１８】
前記ストッパー装置２０は、窓枠１（例えば、上枠２と下枠３）に取付けたストッパー受部材２１と、障子１０（例えば、上框１１と下框１２）に取付けたストッパー部材２２を備え、そのストッパー受部材２１にストッパー部材２２が当接することで障子１０の開き方向への移動を規制する。前記ストッパー受部材２１は第１位置と第２位置とに亘って左右方向に移動自在で、かつ第１・第２位置で左右方向に移動しないように固定される。
【００１９】
図２（ａ）に示すように、障子１０が閉じ状態で、ストッパー受部材２１が図１に点線で示す第１位置の時には、ストッパー受部材２１とストッパー部材２２は離隔している。
前述の状態から障子１０を閉じ状態から開き方向に移動すると図２（ｂ）に示すようにストッパー部材２２がストッパー受部材２１に当接してストップし、それ以上障子１０が開き方向に移動しないように規制する。この時の開口部１６の開口幅はＨ１と小さい。
前記ストッパー受部材２１を図１に仮想線で示す第２位置として障子１０を開き方向に移動すると、図２（ｃ）に示すように、ストッパー部材２２がストッパー受部材２１に当接してストップし、障子１０がそれ以上開き方向に移動しないように規制し、開口部１６の最大開口幅をＨ２とする。
【００２０】
このようであるから、ストッパー装置２０のストッパー受部材２１を第１位置としておけば、障子１０の開き方向への移動距離が短く規制されて開口部１６の開口幅を小さくできる。
そして、ストッパー装置２０のストッパー受部材２１を第２位置とすれば、障子１０の開き方向への移動距離が長くなるので、開口部１６の開口幅を大きくできる。
【００２１】
前述の説明では、上枠２と上框１１とに亘ってストッパー装置２０を取付けると共に、下枠３と下框１２とに亘ってストッパー装置２０を取付けしたが、上枠２と上框１１、下枠３と下框１２の一方にのみ亘って取付けしても良い。つまり、窓枠１と障子１０とに亘って取付ければ良い。
【００２２】
前記のストッパー受部材２１はビス、ピン、ボルト、蝶ナット等の固着具で着脱自在に固定するので、そのストッパー装置２０を下枠３と下框１２とに亘って取付けした場合には、障子１０を開口幅Ｈ１だけ開放した状態で、そのストッパー受部材２１を第１位置で固定している固着具を弛め操作できないようにすることが好ましい。
つまり、固着具を弛め操作するとストッパー受部材２１が第２位置まで移動可能となるので、室外側から障子１０を開口幅Ｈ２まで開放して、その開口部１６から室内々入り込むことができるから、防犯上好ましくない。
【００２３】
例えば、図１に示すように下框１２に横向部材１７を取付ける。障子１０が閉じ位置の時には、ストッパー受部材２１を第１位置で固定している固着具、例えばビス２３と横向部材１７が左右方向に離れ、そのビス２３を弛め操作できるが、図２（ｂ）に示すように障子１０を開口幅Ｈ１だけ開放した時には、ビス２３の上方に横向部材１７が相対向して位置し、ビス２３を弛め操作できないようにする。
なお、図２（ｃ）に示すように、ストッパー受部材２１が第２位置で、障子１０を開口幅Ｈ２だけ開放した場合にも、前記ビス２３の上方に横向部材１７が対向してビス２３を弛め操作できないようにしてある。
また、横向部材１７を上框１１に取付けて上枠２に取付けたストッパー受部材２１のビス２３を前述と同様に障子開放時に弛め操作できないようにしても良い。
【００２４】
なお、図１、図２は本発明を理解し易いように概略的に図示してあり、後述する具体形状と形状、寸法が異なることがある。
【００２５】
次に各部材の具体形状を説明する。
図３に示すように、前記下枠３の下框１２の室内側面１２ａと対向した室外側面３ａにガイド部、例えば室外側に開口したあり溝３０が形成されている。
このあり溝３０に前記ストッパー受部材２１が左右方向に摺動自在に嵌挿してあり、これによってストッパー受部材２１は前述の第１位置と第２位置とに亘って左右方向に移動自在である。
前記下框１２の室内側面１２ａにストッパー部材２２がビス２４で固着してある。
前記下枠３の面内方向の内側面３ｂは、前記室外側面３ａよりも室外側に張り出している部分３ｂ′を有する。この張り出し部分３ｂ′におけるストッパー受部材２１を第１位置で固定する位置と、第２位置で固定する位置に切欠部３１がそれぞれ形成されている（図４参照）。
この各切欠部３１にはカバー３２がそれぞれ着脱自在に設けてある。
この実施の形態では、下枠本体の内側板３３と、その内側板３３に取付けたアタッチメント３４と、そのアタッチメント３４と内側板３３に亘って化粧板３５を取付けて前述の下枠３の内側面３ｂとしてあり、そのアタッチメント３４と化粧板３５とに切欠部３１が形成され、化粧板３５にカバー３２が設けてある。
【００２６】
このようであるから、カバー３２を取り外すことで、切欠部３１から工具を挿入してビス２３を締め付けることでストッパー受部材２１を第１位置、第２位置に固定できる。
また、切欠部３１から工具を挿入してビス２３を弛めることでストッパー受部材２１をあり溝３０に沿って第１位置と第２位置とに亘って移動できる。
【００２７】
前記上枠２と上框１１とに亘ってストッパー装置２０が、前述の下枠３と下框１２とに亘って取付けたストッパー装置２０と同様に取付けてある。
つまり、図３に示すように、前記上枠２の上框１１の室内側面１１ａと対向した室外側面２ａにガイド部、例えば室外側に開口したあり溝３０が形成されている。
このあり溝３０に前記ストッパー受部材２１が左右方向に摺動自在に嵌挿してあり、これによってストッパー受部材２１は前述の第１位置と第２位置とに亘って左右方向に移動自在である。
前記上框１１の室内側面１１ａにストッパー部材２２がビス２４で固着してある。
前記上枠２の面内方向の内側面２ｂは、前記室外側面２ａよりも室外側に張り出している張り出し部２ｂ′を有する。この張り出し部分２ｂにおけるストッパー受部材２１を第１・第２位置で固定する位置に切欠部３１がそれぞれ形成され、カバー３２が設けてある。
前記上枠２の内側面２ｂは上枠本体の内側板３３と化粧板３５で形成してある。
なお、上枠２の内側面２ｂを下枠３の内側面３ｂと同様にしても良いし、その反対でも良く、さらには内側板３３のみで内側面２ｂ，３ｂとしても良い。
【００２８】
前記横向部材１７は図３に示すように、縦片１７ａと横片１７ｂでＬ字形状で、その縦片１７ａが下框１２の室内側面１２ａに固着して取付けられ、その横片１７ｂが、前記ビス２３と前記下枠３の内側面３ｂの張り出し部分３ｂ′との間に位置している。
そして、障子１０を開口幅Ｈ１だけ開放した状態では、その横片１７ｂがビス２３の上方に対向して位置し、切欠部３１から挿入した工具が横片１７ｂに干渉してビス２３を弛め操作できないようにしてある。
また、障子１０が閉じ位置の時には横片１７ｂがビス２３と左右方向にずれ、切欠部３１から工具を挿入することでビス２３を弛め操作できる。
【００２９】
前述のストッパー受部材２１は、図５に示すように長尺の本体２５の長手方向一端寄りにブロック２６をビス２７で固着し、その本体２５の長手方向他端寄りにレバー２８を収納姿勢と張り出し姿勢とに亘って回動自在に取付け、その本体２５の長手方向中間部にビス孔２９を上下面に貫通して形成してある。
そして、本体２５が前述のあり溝３０に摺動自在に嵌挿され、前記ブロック２６があり溝３０から突出してストッパー部材２２が当接するようにしてある。
前記レバー２８を図５に仮想線で示す張り出し姿勢とすると、そのレバー２８は障子１０の他方の縦框１４と干渉するようになり、開放している障子１０を閉じ方向に移動すると他方の縦框１４がレバー２８と干渉して障子１０とともに本体２５（ストッパー受部材２１）が閉じ方向に移動する。レバー２８が図５に実線で示す収納姿勢の時には本体２５から張り出しせずに障子１０の他方の縦框１４と干渉しない。
【００３０】
このようであるから、あり溝３０を形成する上下横片３０ａにビス挿通孔を形成し、このビス挿通孔を通して本体２５のビス孔２９にビス２３を螺合、弛めることで本体２５を第１位置、第２位置に固定できる。
また、ビス２３を弛めることで障子１０を開放側に移動すると、ストッパー部材２２がブロック２６に当接し、それ以降は障子１０とともに本体２５が開放側に移動するので、第１位置のストッパー受部材２１をストッパー部材２２を利用して障子１０によって第２位置まで移動できる。
また、ストッパー受部材２１が第２位置の時にビス２３を弛めると共に、レバー２８を張り出し位置とすれば、障子１０の他方の框１４がレバー２８と干渉し、障子１０とともに移動するので、第２位置のストッパー受部材２１を障子１０によって第１位置まで移動できる。
なお、ストッパー受部材２１を固定し、ストッパー部材２２を第１位置、第２位置に移動するようにしても良い。
【００３１】
次に、本発明の第２の実施の形態を説明する。
この実施の形態は、窓枠１、障子１０の形状は前述の第１の実施の形態と同様で、ストッパー装置２０の形状が相違する。
図６に示すように、窓枠１の上枠２、下枠３に設けた第１ストッパー受部材４０、第２ストッパー受部材４１と、障子１０の上框１１、下框１２に取付けたストッパー部材４２でストッパー装置２０としてある。
前記第１ストッパー受部材４０は第２ストッパー受部材４１よりも障子閉じ側に位置し、その第１ストッパー受部材４０と第２ストッパー受部材４１は障子開閉方向（左右方向）に開口部１６の開口幅の差（Ｈ２−Ｈ１）だけ離隔している。
前記第１ストッパー受部材４０は着脱自在である。
【００３２】
このようであるから、図７（ａ）に示すように障子１０が閉じ状態（閉じ位置）の時には、第１ストッパー受部材４０とストッパー部材４２が左右に離隔している。
前述の状態から、障子１０を開き方向に移動すると図７（ｂ）に示すように、ストッパー部材４２が第１ストッパー受部材４０に当接して障子１０の開き方向への移動を規制し、開口部１６の開口幅をＨ１とする。
つまり、第１ストッパー受部材４０を取付けた状態が前述の第１の状態である。
【００３３】
前記第１ストッパー受部材４０を取り外した状態で、障子１０を開き方向に移動すると図７（ｃ）に示すように、ストッパー部材４２が第２ストッパー受部材４１に当接して障子１０の開き方向への移動を規制し、開口部１６の開口幅をＨ２とする。
つまり、第１ストッパー受部材４０を取り外した状態が前述の第２の状態である。
【００３４】
このようであるから、第１ストッパー受部材４０を取付けることで開口部１６の開口幅が小さくなり、その第１ストッパー受部材４０を取り外しすることで開口部１６の開口幅を大きくできる。
【００３５】
次に、各部材の具体形状を説明する。
図８に示すように、窓枠１の上枠２、下枠３、障子１０の上框１１、下框１２は前述した図３に示すものと同様である。
前記第１ストッパー受部材４０は、図８、図９に示すように、上枠２の室外側面２ａに取付けた取付部材４３と、この支持部材４３にビス４４で着脱自在に取付けた受部材４５を備えている。
そして、上枠２の内側面２ｂにおける張り出し部分２ｂ′に形成した切欠部４６から前記ビス４４を締め付け、弛めできると共に、受部材４５を取付け、取り外し可能としてある。
この切欠部４６にはカバー４７が着脱自在に設けてある。
なお、下枠３にも第１ストッパー受部材４０が同様に取付けてある。
【００３６】
前記下枠３の室外側面３ａに第２ストッパー受部材４１がビス４８で固着してある。
なお、上枠２の室外側面２ａにも第２ストッパー受部材４１が同様に固着してある。
前記上框１１の室内側面１１ａにストッパー部材４２がビス４９で固着してある。
なお、下框１２の室内側面１２ａにもストッパー部材４２が同様に取付けてある。
【００３９】
この実施の形態においても、ストッパー装置２０を上枠２と上框１１、下枠３と下框１２の一方に亘って取付ければ良い。
つまり、ストッパー装置２０は窓枠１と障子１０とに亘って取付ければ良い。
【図面の簡単な説明】
【００４０】
【図１】本発明の第１の実施の形態を示す片開き窓の外観図である。
【図２】片開き窓の開閉動作説明図である。
【図３】図１のＡ−Ａ詳細断面図である。
【図４】図１のＢ−Ｂ詳細断面図である。
【図５】ストッパー受部材の取付け部分の分解斜視図である。
【図６】本発明の第２の実施の形態を示す片開き窓の外観図である。
【図７】片開き窓の開閉動作説明図である。
【図８】図６のＣ−Ｃ詳細断面図である。
【図９】第１ストッパー受部材の分解斜視図である。
【符号の説明】
【００４１】
１…窓枠、２…上枠、３…下枠、４…一方の縦枠、５…他方の縦枠、１０…障子、１１…上框、１２…下框、１３…一方の縦框、１４…他方の縦框、１６…開口部、１７…横向部材、２０…ストッパー装置、２１…ストッパー受部材、２２…ストッパー部材、２３…ビス（固着具）、４０…第１ストッパー受部材、４１…第２ストッパー受部材、４２…ストッパー部材。
【図１】
0004640829.tif 000002
【図２】
0004640829.tif 000003
【図３】
0004640829.tif 000004
【図４】
0004640829.tif 000005
【図５】
0004640829.tif 000006
【図６】
0004640829.tif 000007
【図７】
0004640829.tif 000008
【図８】
0004640829.tif 000009
【図９】
0004640829.tif 000010